(57)【要約】      （修正有）【課題】例えば坂に沿って建てられた住宅間にコンクリートの擁壁を施工した後に擁壁施工用の型枠を簡単に取り外す擁壁の型枠取り外し装置を提供する。【解決手段】細長の筐体１５０と、筐体内の一方の端部近傍に回動自在に支持された第１の歯車１１０と、筐体内の他方の端部近傍に回動自在に収容された第２の歯車１２０と、これらの歯車の間に架け渡されたチェーン１３０と、第１の歯車に備わり、駆動工具によってこれを回転させるための駆動工具嵌合部と、第２の歯車に備わり、間隔保持用ボルト締め付けナット緩め手段とピーコン除去手段からなり擁壁から型枠を取り外す型枠取り外し用係合部と、型枠取り外し用係合部の近くを照射する照明装置１４０を備える。【選択図】図１
0003215953.tif 000002
【実用新案登録請求の範囲】
【請求項１】
細長の筐体と、
前記筐体内の一方の端部近傍に回動自在に支持された状態で収容された第１の歯車と、
前記筐体内の他方の端部近傍に回動自在に支持された状態で収容された第２の歯車と、
前記第１の歯車と第２の歯車との間に架け渡され、当該第１の歯車の回転トルクを当該第２の歯車に伝達するチェーンと、
前記第１の歯車に備わり、駆動工具によって当該第１の歯車を回転させるための駆動工具嵌合部と、
前記第２の歯車に備わり、擁壁から型枠を取り外す型枠取り外し用係合部と、
前記型枠取り外し用係合部の近傍に備わり、前記擁壁の型枠取り外し装置を前記隣接壁と擁壁との間に挿入した際に前記型枠取り外し用係合部の周辺領域を照らす照明装置とを備え、
前記型枠取り外し用係合部は、前記第２の歯車に備わりかつ前記型枠のホームタイ締め付けナットに係合してこれを緩めることができるホームタイ締め付けナット緩め手段と、前記第２の歯車に対して着脱可能に設けられ、前記ピーコンの雄ネジに係合して前記擁壁から前記ピーコンを取り除くピーコン除去手段を備えることを特徴とする擁壁の型枠取り外し装置。
【考案の詳細な説明】
【技術分野】
【０００１】
本考案は、例えば坂に沿って下から上に建てられている住宅の隣接する住宅間にコンクリートの擁壁を施工する際に好適に利用可能な擁壁の型枠取り外し装置に関する。
【背景技術】
【０００２】
坂に沿って下から上に住宅が隣接して建てられているような場所では、隣接する上側の住宅が建つ土地の高さ、即ち隣接する上側の住宅の隣接壁の高さ程度までコンクリートの擁壁を施工する場合が多い。
【０００３】
そして、下側の土地の境界領域をなるべく広く確保するために、下側の住宅の擁壁は上側の住宅の隣接壁に対して例えば間隔が１０ｃｍから１５ｃｍ程度のほとんど隙間の無い状態で擁壁を施工するのが一般的である。かかる擁壁施工用の型枠を組み立てたり取り外したりする際にインパクトレンチが通常使用される（例えば、特許文献１参照）。
【先行技術文献】
【特許文献】
【０００４】
【特許文献１】特開２０１５−１６１１２２号公報
【考案の概要】
【考案が解決しようとする課題】
【０００５】
擁壁の施工に際しては、コンクリートを流し込むための型枠を隣接壁と離れた場所で事前に組み立てておく。この際例えば合板で出来た二枚のコンパネを丸セパによって所定間隔を保つように対向配置させると共に、丸セパの両端にピーコンを取り付ける。そして、二枚のコンパネの外側面には補強用のタルキを枠状に取付ける。更に、丸パイプからなる単管パイプを所定の間隔で配置した後、ホームタイを利用してタルキに単管パイプを押し付けて固定する。そして、このように組み立てた型枠を擁壁を施工する場所にしっかりと設置し、型枠へのコンクリートの流し込み作業を行う。
【０００６】
型枠が上述したような構成を有するため、コンクリートを型枠に流し込む際に丸セパとタルキと単管パイプが互いにしっかりと結合してコンクリートを型枠に確実に流し込むことができる。また、コンパネの両内側面にピーコンが所定間隔で備わっていることによって、型枠にコンクリートを流し込んだ際に型枠が歪んだり反ったりするのを防止することができる。
【０００７】
上述のような擁壁を施工して完成させると、擁壁の高さは上側の住宅の隣接壁の上部程度まで高くなる。擁壁を形成するコンクリートの養生が終わった後、上側の住宅と反対側の面の擁壁の型枠を取り外すにあたって、ホームタイを取り外して単管パイプを取り除き、タルキを外してコンパネを剥がし、ピーコンもその六角ボルトの頭を緩めて丸セパから取外して回収する。
【０００８】
しかしながら、隣接壁と対向する擁壁の側面との間に挟まれた型枠については、上述したように隣接壁と擁壁との間隔が１０ｃｍから１５ｃｍ程度と極めて狭いため、解体して回収することが非常に困難である。
【０００９】
そのため、上述したように隣接壁と擁壁との間のわずかな隙間に擁壁の型枠を構成するコンパネとタルキと単管パイプ、ホームタイやピーコンを残したままこの隙間を全部土で埋めてしまうことが行われる。このような擁壁の施工方法によると、上述したコンパネとタルキと単管パイプ、ホームタイやピーコンが土の中に埋まったままとなり、環境上好ましくないと共に、コンパネやタルキ、単管パイプやホームタイ、ピーコンを全て再利用することができず施工コストがかさんでしまう。
【００１０】
特にホームタイやピーコンは、特別な形状を有する専用品であると共に、１つの擁壁を施工するのに極めて多数のホームタイやピーコンを使用するため、これら全てを回収できないのは問題である。
【００１１】
一方、擁壁の高さが例えば１メートル半程度とそれほど高くない場合は、施工者がバールなどを用いてコンパネやタルキを擁壁から力ずくで剥がしたり狭い隙間に無理やり手を突っ込んだりして工具でホームタイやピーコンを回収する作業も行われる場合があるが、施工者の身体的負担が大きくなると共に、作業の安全上好ましくないといえる。
【００１２】
本考案の目的は、例えば坂に沿って下から上に建てられている住宅の隣接する住宅間にコンクリートの擁壁を施工した後に擁壁施工用の型枠を全て確実に取り外して回収できる擁壁の型枠取り外し装置を提供することにある。
【課題を解決するための手段】
【００１３】
上記目的を達成するために本考案の請求項１に係る擁壁の型枠取り外し装置は、
細長の筐体と、
前記筐体内の一方の端部近傍に回動自在に支持された状態で収容された第１の歯車と、
前記筐体内の他方の端部近傍に回動自在に支持された状態で収容された第２の歯車と、
前記第１の歯車と第２の歯車との間に架け渡され、当該第１の歯車の回転トルクを当該第２の歯車に伝達するチェーンと、
前記第１の歯車に備わり、駆動工具によって当該第１の歯車を回転させるための駆動工具嵌合部と、
前記第２の歯車に備わり、擁壁から型枠を取り外す型枠取り外し用係合部と、
前記型枠取り外し用係合部の近傍に備わり、前記擁壁の型枠取り外し装置を前記隣接壁と擁壁との間に挿入した際に前記型枠取り外し用係合部の周辺領域を照らす照明装置とを備え、
前記型枠取り外し用係合部は、前記第２の歯車に備わりかつ前記型枠のホームタイ締め付けナットに係合してこれを緩めることができるホームタイ締め付けナット緩め手段と、前記第２の歯車に対して着脱可能に設けられ、前記ピーコンの雄ネジに係合して前記擁壁から前記ピーコンを取り除くピーコン除去手段を備えることを特徴としている。
【考案の効果】
【００１４】
本考案によると、例えば坂に沿って下から上に建てられている住宅の隣接する住宅間にコンクリートの擁壁を施工した後に擁壁施工用の型枠を全て確実に取り外して回収できる擁壁の型枠取り外し装置を提供することができる。
【図面の簡単な説明】
【００１５】
【図１】本考案に係る擁壁の型枠取り外し装置を用いて擁壁施工用の型枠を取り外す際の概略説明図であり、型枠取り外し装置の内部を透過的に示した図である。
【図２】本考案に係る擁壁の型枠取り外し装置の内部を透過的に示した平面図である。
【図３】本考案に係る擁壁の型枠取り外し装置の内部を透過的に示した側面図である。
【図４】擁壁を施工する際の型枠の各構成要素をなすコンパネ、タルキ、単管パイプ、丸セパ、ピーコン、ホームタイの配置関係を、型枠にコンクリートを流し込んだ状態で部分的に示す一部断面図である。
【図５】図１乃至図３に示した駆動側歯車及び従動側歯車の平面図（図５（ａ））、側面図（図５（ｂ））、及びコンクリートに埋め込まれたピーコンとピーコン除去アタッチメントを分解して一部断面で示す側面図（図５（ｃ））である。
【考案を実施するための形態】
【００１６】
以下、本考案の一実施形態に係る擁壁の型枠取り外し装置（以下、適宜単に「型枠取り外し装置」とする）の構造について図面に基づいて説明する。なお、以下の説明において記載する上下方向（上側や下側）については、型枠取り外し装置を実際に擁壁と隣接壁との間の空間にその上方から入れて使用する際の状態に基づいて定義する。
【００１７】
図１は、本考案に係る擁壁の型枠取り外し装置を用いて擁壁施工用の型枠を取り外す際の概略説明図であり、型枠取り外し装置の内部を透過的に示した図である。また、図２は、本考案に係る擁壁の型枠取り外し装置の内部を透過的に示した平面図である。また、図３は、本考案に係る擁壁の型枠取り外し装置の内部を透過的に示した側面図である。また、図４は、擁壁を施工する際の型枠の各構成要素をなすコンパネ、タルキ、単管パイプ、丸セパ、ピーコン、ホームタイの配置関係を、型枠にコンクリートを流し込んだ状態で部分的に示す一部断面図である。また、図５は図１乃至図３に示した駆動側歯車及び従動側歯車の平面図（図５（ａ））、側面図（図５（ｂ））、及びコンクリートに埋め込まれたピーコンとピーコン除去アタッチメントを分解して一部断面で示す側面図（図５（ｃ））である。
【００１８】
なお、図１においては、考案の理解の容易化のために型枠を完全に取付けた状態を示しているが、型枠取り外し装置を実際に使用する際は、図中左側の型枠を全て取り外し、右側の型枠の一番上のホームタイから下方に順番にホームタイを取り外していくのが好ましい利用形態である。
【００１９】
本考案の一実施形態に係る擁壁の型枠取り外し装置１００は、例えば坂に沿って下から上に建てられている住宅の隣接する住宅間にコンクリートの擁壁１を施工する場合において、擁壁１と隣接壁２との間の極めて狭い隙間の中に残った型枠１０（図１及び図４参照）を全て確実に取り外して回収するのに特に優れた擁壁の型枠取り外し装置である。
【００２０】
型枠取り外し装置１００は、細長の筐体１５０と、筐体１５０の内部の一方の端部近傍に回動自在に支持された状態で収容された駆動側歯車（第１の歯車）１１０と、筐体１５０の内部の他方の端部近傍に回動自在に支持された状態で収容された従動側歯車（第２の歯車）１２０と、駆動側歯車１１０と従動側歯車１２０との間に架け渡され、駆動側歯車１１０の回転トルクを従動側歯車１２０に伝達するチェーン１３０とを有している。
【００２１】
そして、駆動側歯車１１０には、インパクトレンチ５０等の駆動工具によってこの歯車を回転させるための駆動工具嵌合部１１１（図２参照）が備わっている。一方、従動側歯車１２０には、擁壁１から型枠１０を取り外す型枠取り外し用係合部２００（図２参照）が備わっている。そして、型枠取り外し用係合部２００の近傍には、ＬＥＤライト１４０が備わっている。ＬＥＤライト１４０は、擁壁１の型枠取り外し装置１００を擁壁１と隣接壁２との間に入れて実際に使用する際に型枠取り外し用係合部２００の周囲近傍を照らすようになっている。
【００２２】
型枠取り外し用係合部２００は、従動側歯車１２０に備わりかつ型枠１０のホームタイ締め付けナット４１０（図４参照）に嵌合してこれを緩めてホームタイ４００を取り外すホームタイ締め付けナット緩め部１２１（図２参照）と、従動側歯車１２０に対して着脱可能に設けられ、ピーコン３００のホームタイ結合用六角ボルト３２０の頭３２１に係合して擁壁１からピーコン３００を取り除くピーコン除去アタッチメント２２０（図５（ｃ）参照）を備えている。
【００２３】
以下、上述した擁壁１の型枠取り外し装置１００の各構成要素についてより詳細に説明する。筐体１５０は、図２及び図３に示すように、例えばステンレス鋼等の金属でできた十分な剛性を有する細長の箱型形状をなす。そして、駆動側歯車１１０が取り付けられる一方の端部近傍の対向する面にそれぞれ駆動側歯車取付け用大径開口部１５１（図３参照）が形成されている。また、従動側歯車１２０が取り付けられる他方の端部近傍においてもその対向する面にそれぞれ従動側歯車取付け用大径開口部１５２（図３参照）が形成されている。
【００２４】
従動側歯車取付け用大径開口部１５２の上側には、ＬＥＤライト１４０（図２参照）が備わり、上述したように実際に使用する際に型枠取り外し用係合部２００の周囲近傍を照らすことで、施工者が型枠１０を取り外す際に擁壁１と隣接壁２との空間の上部からその付近を目視で確認可能となっている。
【００２５】
筐体内部の所定位置にはＬＥＤライト１４０を点灯させるバッテリー１４１（図２参照）が備わると共に、駆動側歯車取付け用大径開口部１５１の近傍においてＬＥＤライト１４０の点灯スイッチ１４２（図２参照）が設けられ、施工者が必要に応じてＬＥＤライト１４０を点灯できるようになっている。
【００２６】
駆動側歯車１１０と従動側歯車１２０は、共に同一の基準円直径及び同一のモジュールを有する同一形状の歯車である（図５（ａ），（ｂ）参照）。そして、駆動側歯車１１０と従動側歯車１２０の両面においては、それぞれの歯の近傍に平面視で円周方向全周にわたって段部１１５（１１５ａ，１１５ｂ），１２５（１２５ａ，１２５ｂ）が形成されている（図３及び図５（ａ），（ｂ）参照）。
【００２７】
各歯車１１０，１２０の平面視円形をなす段部上面の外径は、筐体１５０の各大径開口部１５１，１５２の内径に比べて僅かに小さくなっている。そして、駆動側歯車１１０の一方の側の段部１１５ａと他方の側の段部１１５ｂは、筐体１５０の駆動側歯車取付け用大径開口部１５１の一方の側の開口部１５１ａと他方の側の開口部１５１ｂにそれぞれ回転摺動可能に嵌まっている。
【００２８】
また、従動側歯車１２０の一方の側の段部１２５ａと他方の側の段部１２５ｂは、筐体１５０の従動側歯車取付け用大径開口部１５２の一方の側の開口部１５２ａと他方の側の開口部１５２ｂにそれぞれ回転摺動可能に嵌まっている。これによって、駆動側歯車１１０は筐体１５０の内部上側近傍に回転自在に収容され、従動側歯車１２０は筐体１５０の内部下側近傍に回転自在に収容されている。
【００２９】
駆動側歯車１１０の平面視中央部分近傍には、インパクトレンチ５０の回転軸と係合してインパクトレンチ５０を駆動させることで駆動側歯車１１０を回転させる平面視六角形の嵌合用貫通孔１１１が形成されている。一方、従動側歯車１２０の平面視中央部分近傍には、ホームタイ締め付けナット４１０にちょうど嵌まって係合する正六角形形状の嵌合用貫通孔１２１が形成されている。なお、本実施形態においては、この嵌合用貫通孔１２１は、型枠取り外し用係合部２００の一方をなすホームタイ締め付けナット緩め部１２１としての役目を果たしている。
【００３０】
型枠取り外し用係合部２００は、図５（ｃ）に示すように、従動側歯車嵌合固定部２１０と、これと同軸に連なるピーコン除去アタッチメント２２０とからなる。従動側歯車嵌合固定部２１０は、従動側歯車１２０の平面視六角形からなるホームタイ締め付けナット緩め部（嵌合用貫通孔）１２１に挿通してぴったりと嵌合する六角柱体２１１を備え、その一端にこれよりも径の大きい鍔部２１３が備わっている。また、その他端に向かって軸心方向に沿って雌ネジ２１４が形成され、鍔部２１３と同等の外径を有する円板状の押さえ板２１５の中心孔２１５ａにアタッチメント取付け用六角ボルト２１６を挿通して雌ネジ２１４に螺合させるようになっている。
【００３１】
また、ピーコン除去アタッチメント２２０は、従動側歯車嵌合固定部２１０の六角柱体２１１よりも細い筒状体をなすピーコン除去レンチ部２２１を有し、ピーコン３００の内側凹み部３１０から突出したホームタイ結合用六角ボルト３２０に挿通してその頭３２１に嵌合できるようになっている。即ち、ピーコン除去アタッチメント２２０の先端側はホームタイ結合用六角ボルト３２０の頭３２１と嵌合してピーコン除去アタッチメント２２０が軸芯周りに回転すると同時にホームタイ結合用六角ボルト３２０を回転させるための端面視六角形状の六角ボルト嵌合孔２２２が形成されている。また、六角ボルト嵌合孔２２２に軸心方向に連なって従動側歯車嵌合固定部２１０に向かってホームタイ結合用六角ボルト３２０の雄ネジ３２２が挿入収容される収容穴２２３が形成されている。
【００３２】
なお、ピーコン除去アタッチメント２２０が回転することで、これと嵌合したホームタイ結合用六角ボルト３２０も回転し、これと結合して一体化したピーコン３００も同時に回転して丸セパ１６の端部の雄ネジ１６ａ（図４及び図５（ｃ）参照）との結合が解除されるようになっている。
【００３３】
型枠取り外し用係合部２００を従動側歯車１２０に取り付けるにあたっては、以下のような簡単な作業を行うだけで済む。具体的には、従動側歯車嵌合固定部２１０の六角柱体２１１を従動側歯車１２０の六角穴１２１に嵌合させながら挿入し、従動側歯車嵌合固定部２１０の鍔部２１３を従動側歯車１２０の一方の面に当接させる。
【００３４】
この状態で従動側歯車１２０の六角穴１２１の反対側から押さえ板２１５を従動側歯車１２０の他方の面に当接させ、アタッチメント取付け用六角ボルト２１６を押さえ板２１５の中心孔２１５ａに挿通させてから従動側歯車嵌合固定部２１０に形成された雌ネジ２１４に螺合させる。
【００３５】
このようにして従動側歯車嵌合固定部２１０を従動側歯車１２０にしっかりと固定する。これによって、従動側歯車１２０の一方の面から型枠取り外し用係合部２００のピーコン除去アタッチメント２２０が従動側歯車１２０の中心軸線と同軸に突出するようになる。
【００３６】
なお、駆動側歯車１１０と従動側歯車１２０は、上述したようにチェーン１３０で連結されているので、インパクトレンチ５０を用いて駆動側歯車１１０を回転させることによって、チェーン１３０を介して従動側歯車１２０も同一の回転数で回転する。これによってインパクトレンチ５０で駆動側歯車１１０を回転させることにより、従動側歯車１２０に備わったホームタイ締め付けナット緩め部１２１やピーコン除去アタッチメント２２０を所望のトルクで回転させることができる。
【００３７】
続いて、擁壁１の型枠取り外し装置１００を用いた擁壁１の型枠１０の取り外し及び回収方法について説明する。擁壁１を形成するコンクリートの養生が終わって固まった後に擁壁１の型枠１０を取り外す作業を開始する。この作業に当たっては、隣接壁２と反対側の擁壁１の面の型枠１０（図１における左側の型枠）を最初に取り外す。
【００３８】
この際、例えばインパクトレンチ５０を用いてホームタイ４００を取り外し、単管パイプ１５及びタルキ１４を取り去りコンパネ１３を擁壁１から引き剥がす。
【００３９】
そして、インパクトレンチ５０の六角ボルト取り外しアタッチメントを変えて擁壁１の側面に嵌まったピーコン３００のボルト３２０の頭３２１（この側面と反対側の面にピーコン３００が嵌まった状態を示す図４参照）を同じくインパクトレンチ５０を用いて緩めて全てのピーコン３００を擁壁１から取り除く。この隣接壁２と反対側の擁壁１の面の型枠１０は、その周囲に十分な作業空間を有しているので型枠取り外し作業を問題なく行うことができる。
【００４０】
続いて、擁壁１の型枠取り外し装置１００を用いた擁壁１と隣接壁２との間の極めて狭い空間内の型枠１０（図１における右側の型枠）の取り外し及び回収方法について説明する。
【００４１】
擁壁１と隣接壁２との間の狭い空間内の型枠１０の取り外しを行うにあたって、上述したように擁壁１と隣接壁２との間が１０ｃｍから１５ｃｍ程度の極めて狭い空間であるため、この型枠１０の取り外し作業を擁壁１の反対側の面の型枠１０の取り外し作業と同じように行うことは不可能である。そのため、本考案に係る型枠取り外し装置１００を利用して行う。
【００４２】
なお、インパクトレンチ５０の回転部は、駆動側歯車１１０の六角穴１１１に嵌合する形状にしたり、アタッチメントを付けたりしておく。また、この型枠取り外し作業においては、図１に示す上側のホームタイ４００から下側のホームタイ４００に向かって順々に取り外していくのが好ましい。
【００４３】
最初に、型枠取り外し装置１００の従動側歯車１２０の備わった下端部を擁壁１と隣接壁２との間の空間内の底に向かって入れていく。この際、型枠取り外し装置１００の下端部近傍に備わるＬＥＤライト１４０を点灯させることで、ホームタイ締め付けナット４１０の場所を擁壁１の上部から確認しながらこの作業を行なう。
【００４４】
そして、型枠取り外し装置１００の従動側歯車１２０の同芯上に備わった六角穴１２１（以下、この六角穴１２１を「ホームタイ締め付けナット緩め部１２１」と称する）をホームタイ締め付けナット４１０に嵌め込む。この嵌め込みの際、型枠取り外し装置１００の上側の駆動側歯車１１０を多少動かすことによって、ホームタイ締め付けナット４１０とホームタイ締め付けナット緩め部１２１との回転角度を一致させてしっかりと嵌め込むことができる。
【００４５】
次いで、型枠取り外し装置１００の上側の駆動側歯車１１０に備わった駆動工具嵌合部１１１にインパクトレンチ５０の回転駆動部を嵌合させ、インパクトレンチ５０を回転駆動させる。これによって、駆動側歯車１１０の回転力がチェーン１３０を伝わって従動側歯車１２０に伝わり、従動側歯車１２０も駆動側歯車１１０と同様に回転する。この従動側歯車１２０の回転トルクによりホームタイ締め付けナット緩め部１２１と係合したホームタイ締め付けナット４１０が緩みだし、ホームタイ４００の雄ネジ４１１の端部に備わる雄ネジ潰れ部４１２まで移動する（図４参照）。
【００４６】
なお、雄ネジ潰れ部４１２は、ホームタイ４００の雄ネジ４１１にホームタイ締め付けナット４１０を螺合させた後、雄ネジ４１１の端部をプレス加工で潰すことで形成するのが一般的であるが、施工現場の環境によっては、雄ネジ４００が長過ぎる場合、雄ネジ４００を短くするために一部切断してからその雄ネジ端部をネジ山ごと潰して雄ネジ潰れ部４１２を形成する場合もある。
【００４７】
雄ネジ部１１１が緩んでいくことでホームタイ締め付けナット４１０が雄ネジ潰れ部４１２に押し付けられる。そして、雄ネジ潰れ部４１２がホームタイ締め付けナット４１０のそれ以上の緩み動作を阻止するストッパとしての役目を果たす。これによって、両者がその間に作用する摩擦力で一体化し、ホームタイ４００の雄ネジ４１１がホームタイ締め付けナット４１０と共に回転し始める。これによって、ホームタイ４００のシャフト４２０のコンパネ側の端部であってピーコン３００の内部からコンパネ１３を貫通して突出したホームタイ結合用六角ボルト３２０の雄ネジ３２２との螺合が緩み、やがてはこのシャフト４２０の端部がピーコン３００のホームタイ結合用六角ボルト３２０から外れる。
【００４８】
これによって、ホームタイ４００とピーコン３００との結合が解除させるので、ホームタイ４００を擁壁１から遠ざけるように隣接壁側に引っ張ってホームタイ４００を単管パイプ１５及びタルキ１４から引き離す。
【００４９】
単管パイプ１５及びタルキ１４から離れたホームタイ４００は、擁壁１と隣接壁２との間の狭い空間の底に向かって落下する。このようにして、この狭い空間内における型枠１０に多数取り付けられたホームタイ４００を全て取り外す。
【００５０】
次いで、ホームタイ４００による締め付けと固定が解除された単管パイプ１５をこの空間の上側から引き抜くと共にタルキ１４についても全て上側から回収する。また、この空間内のコンパネ１３を擁壁１から剥がして上側から引き抜いて回収する。これによってこの空間内に擁壁１とこの擁壁１に嵌め込まれた多数のピーコン３００のみが残ると共に、この空間内の底面に取り外した後に落下した多数のホームタイ４００が残った状態となる。
【００５１】
次いで、型枠取り外し装置１００を用いたピーコン３００の取り外し方法について説明する。擁壁１と隣接壁２の間の空間から引き出した型枠取り外し装置１００の従動側歯車１２０の六角穴１２１にピーコン除去アタッチメント２２０の端面視六角形の従動側歯車嵌合固定部２１０を嵌合させる。そして、従動側歯車嵌合固定部２１０に備わった鍔部２１３を従動側歯車１２０の一方の面に当接させた状態で従動側歯車１２０の六角穴１２１の反対側の端部に押さえ板２１５を当接させた後、その六角形の中心孔２１５ａにアタッチメント取り付け用六角ボルト２１６を従動側歯車嵌合固定部２１０に形成された雌ネジ２１４に螺合させてピーコン除去アタッチメント２２０を従動側歯車１２０にしっかりと固定する。これによって、従動側歯車１２０の一方の面からピーコン除去アタッチメント２２０のピーコン除去レンチ部２２１が従動側歯車１２０の中心軸線と同軸に突出するようになる。
【００５２】
このような状態で、再びホームタイ取り外し作業と同じように型枠取り外し装置１００を擁壁１と隣接壁２との間の空間に入れてＬＥＤライト１４０で確認しながら擁壁１にはまったピーコン３００の位置を見つけ出す。そして、ピーコン除去アタッチメント２２０の先端のピーコン除去レンチ部２２１をピーコン３００の内側空間に設けられたホームタイ結合用六角ボルト３２０の頭３２１に嵌合させる。
【００５３】
この際、型枠取り外し装置１００の上側の駆動側歯車１１０を多少動かすことによって、ピーコン除去アタッチメント２２０のピーコン除去レンチ部２２１とピーコン３００のホームタイ結合用六角ボルト３２０の頭３２１との回転角度を一致させてしっかりと嵌め込むことができる。
【００５４】
そして、その状態で再び先程と同様にインパクトレンチ５０を型枠取り外し装置１００の駆動側歯車１１０に係合させて駆動側歯車１１０を回転させることにより、チェーン１３０を介して従動側歯車１２０も回転させ、ピーコン３００のホームタイ結合用六角ボルト３２０の頭３２１も同じく回転させることにより、ピーコン３００の雌ネジ３２１とコンクリートに埋まった丸セパ１６の雄ネジ１６ａとの螺合が解除される。これにより、ピーコン３００が丸セパ１６から離れるので、ピーコン３００を擁壁１の側面から引き抜くことができる。
【００５５】
その後、ピーコン３００はピーコン除去アタッチメント２２０から離れて擁壁１と隣接壁２との間の空間の底部に落下する。このようにして擁壁１に多数嵌まったピーコン３００の擁壁１からの除去作業を全てこの型枠取り外し装置１００で手際良く行う。
【００５６】
以上のような作業を行なうことにより、擁壁１と隣接壁２との間の狭い空間内に介在していた単管パイプ１５とタルキ１４とコンパネ１３を全て取り外して回収すると共に、この空間の底部にホームタイ４００とピーコン３００が多数落下したままの状態になる。
【００５７】
そして、最後に例えば長い棒の先に磁石をつけたホームタイ４００とピーコン３００を回収する回収棒を用いて空間の底に落下したままのホームタイ４００とピーコン３００を全て磁石の磁力でくっ付けて回収する。この際、この回収棒の磁石の近くに型枠取り外し装置１００と同様のＬＥＤライトを備え付けて空間の底のホームタイ４００とピーコン３００の落下状況を確認できるようにしながら回収すると、回収作業がはかどる。
【００５８】
以上説明したことから明らかなように、本考案に係る擁壁の型枠取り外し装置よると、上述した本考案の解決すべき課題で挙げた様々な問題点を全て一気に解決することが可能となる。
【００５９】
以下、本考案の特に有利な点を再確認する。上述したように、擁壁と隣接壁の間の空間において本考案に係る擁壁の型枠取り外し装置を用いてそれぞれのホームタイを型枠から取り外してこの狭い空間から単管パイプやタルキ、コンパネを容易に回収することができる。また、擁壁からピーコンを取り除く作業を全て終えると隣接壁と擁壁の間の底に落下した多数のホームタイとピーコンがそのまま残る。
【００６０】
この残留したままの多数のホームタイやピーコンを回収する作業としては、ホームタイやピーコンの一部が金属でできていることを利用して、長い棒の先に十分な磁力を有する磁石を備えて隣接壁と擁壁の間からこのピーコン回収用の棒をホームタイやピーコンが多数落ちたままなっている擁壁と隣接壁との間の狭い空間の底まで入れて、ホームタイやピーコンを磁力でくっつけたまま引上げて全てのホームタイやピーコンを回収する。
【００６１】
このように本考案によると、例えば坂に沿って下から上に建てられている住宅の隣接する住宅間にコンクリートの擁壁を施工する場合において、単管パイプ、タルキ、コンパネのみならず専用品でコストのかかる多数のホームタイやピーコンを無駄にすることなく全て回収して次の場所の擁壁等の施工作業に再利用することができる。
【００６２】
なお、本実施形態のような施工場所以外においても擁壁の一方の面又は両面に対向する近接位置に何らかの建物や壁が存在し、上述の場合のように擁壁の型枠を簡単に取り外す作業エリアが非常に狭いあらゆる施工環境において本考案に係る型枠取り外し装置を有効活用できることは言うまでもない。
【００６３】
また、上述の実施形態は、あくまで本考案の一例を示すもので、本考案の範囲を逸脱しなければ上述のような寸法、材質、形状に本考案を限定する必要はなく、適宜設計変更を可能とすることは言うまでもない。
【符号の説明】
【００６４】
１    擁壁
２    隣接壁
１０    型枠
１３    コンパネ
１４    タルキ
１５    単管パイプ
５０    インパクトレンチ
１００    擁壁の型枠取り外し装置
１１０    駆動側歯車（第１の歯車）
１１１    六角穴，嵌合用貫通孔（駆動工具嵌合部）
１１５，１１５ａ，１１５ｂ    段部
１２０    従動側歯車（第２の歯車）
１２１    六角穴，嵌合用貫通孔（ホームタイ締め付けナット緩め部）
１２５，１２５ａ，１２５ｂ    段部
１３０    チェーン
１４０    ＬＥＤライト
１５０    筐体
１５１，    駆動側歯車取付け用大径開口部
１５１ａ，１５１ｂ    開口部
１５２    従動側歯車取付け用大径開口部
１５２ａ，１５２ｂ    開口部
２００    型枠取り外し用係合部
２１０    従動側歯車嵌合固定部
２１１    六角柱体
２１３    鍔部
２１４    雌ネジ
２１５    押さえ板
２１６    アタッチメント取付け用六角ボルト
２２０    ピーコン除去アタッチメント
２２１    ピーコン除去レンチ部
３００    ピーコン
３２０    ホームタイ結合用六角ボルト
３２１    頭
３２２    雄ネジ
４００    ホームタイ
４１０    ホームタイ締め付けナット
４１１    雄ネジ
４１２    雄ネジ潰れ部
【図１】
0003215953.tif 000003
【図２】
0003215953.tif 000004
【図３】
0003215953.tif 000005
【図４】
0003215953.tif 000006
【図５】
0003215953.tif 000007
【手続補正書】
【提出日】平成30年2月22日(2018.2.22)
【手続補正１】
【補正対象書類名】実用新案登録請求の範囲
【補正対象項目名】全文
【補正方法】変更
【補正の内容】
【実用新案登録請求の範囲】
【請求項１】
細長の筐体と、
前記筐体内の一方の端部近傍に回動自在に支持された状態で収容された第１の歯車と、
前記筐体内の他方の端部近傍に回動自在に支持された状態で収容された第２の歯車と、
前記第１の歯車と第２の歯車との間に架け渡され、当該第１の歯車の回転トルクを当該第２の歯車に伝達するチェーンと、
前記第１の歯車に備わり、駆動工具によって当該第１の歯車を回転させるための駆動工具嵌合部と、
前記第２の歯車に備わり、擁壁から型枠を取り外す型枠取り外し用係合部と、
前記型枠取り外し用係合部の近傍に備わり、前記擁壁の型枠取り外し装置を隣接壁と擁壁との間に挿入した際に前記型枠取り外し用係合部の周辺領域を照らす照明装置とを備え、
前記型枠取り外し用係合部は、前記第２の歯車に備わりかつ前記型枠の間隔保持用ボルト締め付けナットに係合してこれを緩めることができる間隔保持用ボルト締め付けナット緩め手段と、前記第２の歯車に対して着脱可能に設けられ、ピーコンの雄ネジに係合して前記擁壁から前記ピーコンを取り除くピーコン除去手段を備えることを特徴とする擁壁の型枠取り外し装置。
【手続補正２】
【補正対象書類名】明細書
【補正対象項目名】全文
【補正方法】変更
【補正の内容】
【考案の詳細な説明】
【技術分野】
【０００１】
本考案は、例えば坂に沿って下から上に建てられている住宅の隣接する住宅間にコンクリートの擁壁を施工する際に好適に利用可能な擁壁の型枠取り外し装置に関する。
【背景技術】
【０００２】
坂に沿って下から上に住宅が隣接して建てられているような場所では、隣接する上側の住宅が建つ土地の高さ、即ち隣接する上側の住宅の隣接壁の高さ程度までコンクリートの擁壁を施工する場合が多い。
【０００３】
そして、下側の土地の境界領域をなるべく広く確保するために、下側の住宅の擁壁は上側の住宅の隣接壁に対して例えば間隔が１０ｃｍから１５ｃｍ程度のほとんど隙間の無い状態で擁壁を施工するのが一般的である。かかる擁壁施工用の型枠を組み立てたり取り外したりする際にインパクトレンチが通常使用される（例えば、特許文献１参照）。
【先行技術文献】
【特許文献】
【０００４】
【特許文献１】特開２０１５−１６１１２２号公報
【考案の概要】
【考案が解決しようとする課題】
【０００５】
擁壁の施工に際しては、コンクリートを流し込むための型枠を隣接壁と離れた場所で事前に組み立てておく。この際例えば合板で出来た二枚のコンパネを丸セパによって所定間隔を保つように対向配置させると共に、丸セパの両端にピーコンを取り付ける。そして、二枚のコンパネの外側面には補強用のタルキを枠状に取付ける。更に、丸パイプからなる単管パイプを所定の間隔で配置した後、間隔保持用ボルトを利用してタルキに単管パイプを押し付けて固定する。そして、このように組み立てた型枠を擁壁を施工する場所にしっかりと設置し、型枠へのコンクリートの流し込み作業を行う。
【０００６】
型枠が上述したような構成を有するため、コンクリートを型枠に流し込む際に丸セパとタルキと単管パイプが互いにしっかりと結合してコンクリートを型枠に確実に流し込むことができる。また、コンパネの両内側面にピーコンが所定間隔で備わっていることによって、型枠にコンクリートを流し込んだ際に型枠が歪んだり反ったりするのを防止することができる。
【０００７】
上述のような擁壁を施工して完成させると、擁壁の高さは上側の住宅の隣接壁の上部程度まで高くなる。擁壁を形成するコンクリートの養生が終わった後、上側の住宅と反対側の面の擁壁の型枠を取り外すにあたって、間隔保持用ボルトを取り外して単管パイプを取り除き、タルキを外してコンパネを剥がし、ピーコンもその六角ボルトの頭を緩めて丸セパから取外して回収する。
【０００８】
しかしながら、隣接壁と対向する擁壁の側面との間に挟まれた型枠については、上述したように隣接壁と擁壁との間隔が１０ｃｍから１５ｃｍ程度と極めて狭いため、解体して回収することが非常に困難である。
【０００９】
そのため、上述したように隣接壁と擁壁との間のわずかな隙間に擁壁の型枠を構成するコンパネとタルキと単管パイプ、間隔保持用ボルトやピーコンを残したままこの隙間を全部土で埋めてしまうことが行われる。このような擁壁の施工方法によると、上述したコンパネとタルキと単管パイプ、間隔保持用ボルトやピーコンが土の中に埋まったままとなり、環境上好ましくないと共に、コンパネやタルキ、単管パイプや間隔保持用ボルト、ピーコンを全て再利用することができず施工コストがかさんでしまう。
【００１０】
特に間隔保持用ボルトやピーコンは、特別な形状を有する専用品であると共に、１つの擁壁を施工するのに極めて多数の間隔保持用ボルトやピーコンを使用するため、これら全てを回収できないのは問題である。
【００１１】
一方、擁壁の高さが例えば１メートル半程度とそれほど高くない場合は、施工者がバールなどを用いてコンパネやタルキを擁壁から力ずくで剥がしたり狭い隙間に無理やり手を突っ込んだりして工具で間隔保持用ボルトやピーコンを回収する作業も行われる場合があるが、施工者の身体的負担が大きくなると共に、作業の安全上好ましくないといえる。
【００１２】
本考案の目的は、例えば坂に沿って下から上に建てられている住宅の隣接する住宅間にコンクリートの擁壁を施工した後に擁壁施工用の型枠を全て確実に取り外して回収できる擁壁の型枠取り外し装置を提供することにある。
【課題を解決するための手段】
【００１３】
上記目的を達成するために本考案の請求項１に係る擁壁の型枠取り外し装置は、
細長の筐体と、
前記筐体内の一方の端部近傍に回動自在に支持された状態で収容された第１の歯車と、
前記筐体内の他方の端部近傍に回動自在に支持された状態で収容された第２の歯車と、
前記第１の歯車と第２の歯車との間に架け渡され、当該第１の歯車の回転トルクを当該第２の歯車に伝達するチェーンと、
前記第１の歯車に備わり、駆動工具によって当該第１の歯車を回転させるための駆動工具嵌合部と、
前記第２の歯車に備わり、擁壁から型枠を取り外す型枠取り外し用係合部と、
前記型枠取り外し用係合部の近傍に備わり、前記擁壁の型枠取り外し装置を隣接壁と擁壁との間に挿入した際に前記型枠取り外し用係合部の周辺領域を照らす照明装置とを備え、
前記型枠取り外し用係合部は、前記第２の歯車に備わりかつ前記型枠の間隔保持用ボルト締め付けナットに係合してこれを緩めることができる間隔保持用ボルト締め付けナット緩め手段と、前記第２の歯車に対して着脱可能に設けられ、ピーコンの雄ネジに係合して前記擁壁から前記ピーコンを取り除くピーコン除去手段を備えることを特徴としている。
【考案の効果】
【００１４】
本考案によると、例えば坂に沿って下から上に建てられている住宅の隣接する住宅間にコンクリートの擁壁を施工した後に擁壁施工用の型枠を全て確実に取り外して回収できる擁壁の型枠取り外し装置を提供することができる。
【図面の簡単な説明】
【００１５】
【図１】本考案に係る擁壁の型枠取り外し装置を用いて擁壁施工用の型枠を取り外す際の概略説明図であり、型枠取り外し装置の内部を透過的に示した図である。
【図２】本考案に係る擁壁の型枠取り外し装置の内部を透過的に示した平面図である。
【図３】本考案に係る擁壁の型枠取り外し装置の内部を透過的に示した側面図である。
【図４】擁壁を施工する際の型枠の各構成要素をなすコンパネ、タルキ、単管パイプ、丸セパ、ピーコン、間隔保持用ボルトの配置関係を、型枠にコンクリートを流し込んだ状態で部分的に示す一部断面図である。
【図５】図１乃至図３に示した駆動側歯車及び従動側歯車の平面図（図５（ａ））、側面図（図５（ｂ））、及びコンクリートに埋め込まれたピーコンとピーコン除去アタッチメントを分解して一部断面で示す側面図（図５（ｃ））である。
【考案を実施するための形態】
【００１６】
以下、本考案の一実施形態に係る擁壁の型枠取り外し装置（以下、適宜単に「型枠取り外し装置」とする）の構造について図面に基づいて説明する。なお、以下の説明において記載する上下方向（上側や下側）については、型枠取り外し装置を実際に擁壁と隣接壁との間の空間にその上方から入れて使用する際の状態に基づいて定義する。
【００１７】
図１は、本考案に係る擁壁の型枠取り外し装置を用いて擁壁施工用の型枠を取り外す際の概略説明図であり、型枠取り外し装置の内部を透過的に示した図である。また、図２は、本考案に係る擁壁の型枠取り外し装置の内部を透過的に示した平面図である。また、図３は、本考案に係る擁壁の型枠取り外し装置の内部を透過的に示した側面図である。また、図４は、擁壁を施工する際の型枠の各構成要素をなすコンパネ、タルキ、単管パイプ、丸セパ、ピーコン、間隔保持用ボルトの配置関係を、型枠にコンクリートを流し込んだ状態で部分的に示す一部断面図である。また、図５は図１乃至図３に示した駆動側歯車及び従動側歯車の平面図（図５（ａ））、側面図（図５（ｂ））、及びコンクリートに埋め込まれたピーコンとピーコン除去アタッチメントを分解して一部断面で示す側面図（図５（ｃ））である。
【００１８】
なお、図１においては、考案の理解の容易化のために型枠を完全に取付けた状態を示しているが、型枠取り外し装置を実際に使用する際は、図中左側の型枠を全て取り外し、右側の型枠の一番上の間隔保持用ボルトから下方に順番に間隔保持用ボルトを取り外していくのが好ましい利用形態である。
【００１９】
本考案の一実施形態に係る擁壁の型枠取り外し装置１００は、例えば坂に沿って下から上に建てられている住宅の隣接する住宅間にコンクリートの擁壁１を施工する場合において、擁壁１と隣接壁２との間の極めて狭い隙間の中に残った型枠１０（図１及び図４参照）を全て確実に取り外して回収するのに特に優れた擁壁の型枠取り外し装置である。
【００２０】
型枠取り外し装置１００は、細長の筐体１５０と、筐体１５０の内部の一方の端部近傍に回動自在に支持された状態で収容された駆動側歯車（第１の歯車）１１０と、筐体１５０の内部の他方の端部近傍に回動自在に支持された状態で収容された従動側歯車（第２の歯車）１２０と、駆動側歯車１１０と従動側歯車１２０との間に架け渡され、駆動側歯車１１０の回転トルクを従動側歯車１２０に伝達するチェーン１３０とを有している。
【００２１】
そして、駆動側歯車１１０には、インパクトレンチ５０等の駆動工具によってこの歯車を回転させるための駆動工具嵌合部１１１（図２参照）が備わっている。一方、従動側歯車１２０には、擁壁１から型枠１０を取り外す型枠取り外し用係合部２００（図２参照）が備わっている。そして、型枠取り外し用係合部２００の近傍には、ＬＥＤライト１４０が備わっている。ＬＥＤライト１４０は、擁壁１の型枠取り外し装置１００を擁壁１と隣接壁２との間に入れて実際に使用する際に型枠取り外し用係合部２００の周囲近傍を照らすようになっている。
【００２２】
型枠取り外し用係合部２００は、従動側歯車１２０に備わりかつ型枠１０の間隔保持用ボルト締め付けナット４１０（図４参照）に嵌合してこれを緩めて間隔保持用ボルト４００を取り外す間隔保持用ボルト締め付けナット緩め部１２１（図２参照）と、従動側歯車１２０に対して着脱可能に設けられ、ピーコン３００の間隔保持用ボルト結合用六角ボルト３２０の頭３２１に係合して擁壁１からピーコン３００を取り除くピーコン除去アタッチメント２２０（図５（ｃ）参照）を備えている。
【００２３】
以下、上述した擁壁１の型枠取り外し装置１００の各構成要素についてより詳細に説明する。筐体１５０は、図２及び図３に示すように、例えばステンレス鋼等の金属でできた十分な剛性を有する細長の箱型形状をなす。そして、駆動側歯車１１０が取り付けられる一方の端部近傍の対向する面にそれぞれ駆動側歯車取付け用大径開口部１５１（図３参照）が形成されている。また、従動側歯車１２０が取り付けられる他方の端部近傍においてもその対向する面にそれぞれ従動側歯車取付け用大径開口部１５２（図３参照）が形成されている。
【００２４】
従動側歯車取付け用大径開口部１５２の上側には、ＬＥＤライト１４０（図２参照）が備わり、上述したように実際に使用する際に型枠取り外し用係合部２００の周囲近傍を照らすことで、施工者が型枠１０を取り外す際に擁壁１と隣接壁２との空間の上部からその付近を目視で確認可能となっている。
【００２５】
筐体内部の所定位置にはＬＥＤライト１４０を点灯させるバッテリー１４１（図２参照）が備わると共に、駆動側歯車取付け用大径開口部１５１の近傍においてＬＥＤライト１４０の点灯スイッチ１４２（図２参照）が設けられ、施工者が必要に応じてＬＥＤライト１４０を点灯できるようになっている。
【００２６】
駆動側歯車１１０と従動側歯車１２０は、共に同一の基準円直径及び同一のモジュールを有する同一形状の歯車である（図５（ａ），（ｂ）参照）。そして、駆動側歯車１１０と従動側歯車１２０の両面においては、それぞれの歯の近傍に平面視で円周方向全周にわたって段部１１５（１１５ａ，１１５ｂ），１２５（１２５ａ，１２５ｂ）が形成されている（図３及び図５（ａ），（ｂ）参照）。
【００２７】
各歯車１１０，１２０の平面視円形をなす段部上面の外径は、筐体１５０の各大径開口部１５１，１５２の内径に比べて僅かに小さくなっている。そして、駆動側歯車１１０の一方の側の段部１１５ａと他方の側の段部１１５ｂは、筐体１５０の駆動側歯車取付け用大径開口部１５１の一方の側の開口部１５１ａと他方の側の開口部１５１ｂにそれぞれ回転摺動可能に嵌まっている。
【００２８】
また、従動側歯車１２０の一方の側の段部１２５ａと他方の側の段部１２５ｂは、筐体１５０の従動側歯車取付け用大径開口部１５２の一方の側の開口部１５２ａと他方の側の開口部１５２ｂにそれぞれ回転摺動可能に嵌まっている。これによって、駆動側歯車１１０は筐体１５０の内部上側近傍に回転自在に収容され、従動側歯車１２０は筐体１５０の内部下側近傍に回転自在に収容されている。
【００２９】
駆動側歯車１１０の平面視中央部分近傍には、インパクトレンチ５０の回転軸と係合してインパクトレンチ５０を駆動させることで駆動側歯車１１０を回転させる平面視六角形の嵌合用貫通孔１１１が形成されている。一方、従動側歯車１２０の平面視中央部分近傍には、間隔保持用ボルト締め付けナット４１０にちょうど嵌まって係合する正六角形形状の嵌合用貫通孔１２１が形成されている。なお、本実施形態においては、この嵌合用貫通孔１２１は、型枠取り外し用係合部２００の一方をなす間隔保持用ボルト締め付けナット緩め部１２１としての役目を果たしている。
【００３０】
型枠取り外し用係合部２００は、図５（ｃ）に示すように、従動側歯車嵌合固定部２１０と、これと同軸に連なるピーコン除去アタッチメント２２０とからなる。従動側歯車嵌合固定部２１０は、従動側歯車１２０の平面視六角形からなる間隔保持用ボルト締め付けナット緩め部（嵌合用貫通孔）１２１に挿通してぴったりと嵌合する六角柱体２１１を備え、その一端にこれよりも径の大きい鍔部２１３が備わっている。また、その他端に向かって軸心方向に沿って雌ネジ２１４が形成され、鍔部２１３と同等の外径を有する円板状の押さえ板２１５の中心孔２１５ａにアタッチメント取付け用六角ボルト２１６を挿通して雌ネジ２１４に螺合させるようになっている。
【００３１】
また、ピーコン除去アタッチメント２２０は、従動側歯車嵌合固定部２１０の六角柱体２１１よりも細い筒状体をなすピーコン除去レンチ部２２１を有し、ピーコン３００の内側凹み部３１０から突出した間隔保持用ボルト結合用六角ボルト３２０に挿通してその頭３２１に嵌合できるようになっている。即ち、ピーコン除去アタッチメント２２０の先端側は間隔保持用ボルト結合用六角ボルト３２０の頭３２１と嵌合してピーコン除去アタッチメント２２０が軸芯周りに回転すると同時に間隔保持用ボルト結合用六角ボルト３２０を回転させるための端面視六角形状の六角ボルト嵌合孔２２２が形成されている。また、六角ボルト嵌合孔２２２に軸心方向に連なって従動側歯車嵌合固定部２１０に向かって間隔保持用ボルト結合用六角ボルト３２０の雄ネジ３２２が挿入収容される収容穴２２３が形成されている。
【００３２】
なお、ピーコン除去アタッチメント２２０が回転することで、これと嵌合した間隔保持用ボルト結合用六角ボルト３２０も回転し、これと結合して一体化したピーコン３００も同時に回転して丸セパ１６の端部の雄ネジ１６ａ（図４及び図５（ｃ）参照）との結合が解除されるようになっている。
【００３３】
型枠取り外し用係合部２００を従動側歯車１２０に取り付けるにあたっては、以下のような簡単な作業を行うだけで済む。具体的には、従動側歯車嵌合固定部２１０の六角柱体２１１を従動側歯車１２０の六角穴１２１に嵌合させながら挿入し、従動側歯車嵌合固定部２１０の鍔部２１３を従動側歯車１２０の一方の面に当接させる。
【００３４】
この状態で従動側歯車１２０の六角穴１２１の反対側から押さえ板２１５を従動側歯車１２０の他方の面に当接させ、アタッチメント取付け用六角ボルト２１６を押さえ板２１５の中心孔２１５ａに挿通させてから従動側歯車嵌合固定部２１０に形成された雌ネジ２１４に螺合させる。
【００３５】
このようにして従動側歯車嵌合固定部２１０を従動側歯車１２０にしっかりと固定する。これによって、従動側歯車１２０の一方の面から型枠取り外し用係合部２００のピーコン除去アタッチメント２２０が従動側歯車１２０の中心軸線と同軸に突出するようになる。
【００３６】
なお、駆動側歯車１１０と従動側歯車１２０は、上述したようにチェーン１３０で連結されているので、インパクトレンチ５０を用いて駆動側歯車１１０を回転させることによって、チェーン１３０を介して従動側歯車１２０も同一の回転数で回転する。これによってインパクトレンチ５０で駆動側歯車１１０を回転させることにより、従動側歯車１２０に備わった間隔保持用ボルト締め付けナット緩め部１２１やピーコン除去アタッチメント２２０を所望のトルクで回転させることができる。
【００３７】
続いて、擁壁１の型枠取り外し装置１００を用いた擁壁１の型枠１０の取り外し及び回収方法について説明する。擁壁１を形成するコンクリートの養生が終わって固まった後に擁壁１の型枠１０を取り外す作業を開始する。この作業に当たっては、隣接壁２と反対側の擁壁１の面の型枠１０（図１における左側の型枠）を最初に取り外す。
【００３８】
この際、例えばインパクトレンチ５０を用いて間隔保持用ボルト４００を取り外し、単管パイプ１５及びタルキ１４を取り去りコンパネ１３を擁壁１から引き剥がす。
【００３９】
そして、インパクトレンチ５０の六角ボルト取り外しアタッチメントを変えて擁壁１の側面に嵌まったピーコン３００のボルト３２０の頭３２１（この側面と反対側の面にピーコン３００が嵌まった状態を示す図４参照）を同じくインパクトレンチ５０を用いて緩めて全てのピーコン３００を擁壁１から取り除く。この隣接壁２と反対側の擁壁１の面の型枠１０は、その周囲に十分な作業空間を有しているので型枠取り外し作業を問題なく行うことができる。
【００４０】
続いて、擁壁１の型枠取り外し装置１００を用いた擁壁１と隣接壁２との間の極めて狭い空間内の型枠１０（図１における右側の型枠）の取り外し及び回収方法について説明する。
【００４１】
擁壁１と隣接壁２との間の狭い空間内の型枠１０の取り外しを行うにあたって、上述したように擁壁１と隣接壁２との間が１０ｃｍから１５ｃｍ程度の極めて狭い空間であるため、この型枠１０の取り外し作業を擁壁１の反対側の面の型枠１０の取り外し作業と同じように行うことは不可能である。そのため、本考案に係る型枠取り外し装置１００を利用して行う。
【００４２】
なお、インパクトレンチ５０の回転部は、駆動側歯車１１０の六角穴１１１に嵌合する形状にしたり、アタッチメントを付けたりしておく。また、この型枠取り外し作業においては、図１に示す上側の間隔保持用ボルト４００から下側の間隔保持用ボルト４００に向かって順々に取り外していくのが好ましい。
【００４３】
最初に、型枠取り外し装置１００の従動側歯車１２０の備わった下端部を擁壁１と隣接壁２との間の空間内の底に向かって入れていく。この際、型枠取り外し装置１００の下端部近傍に備わるＬＥＤライト１４０を点灯させることで、間隔保持用ボルト締め付けナット４１０の場所を擁壁１の上部から確認しながらこの作業を行なう。
【００４４】
そして、型枠取り外し装置１００の従動側歯車１２０の同芯上に備わった六角穴１２１（以下、この六角穴１２１を「間隔保持用ボルト締め付けナット緩め部１２１」と称する）を間隔保持用ボルト締め付けナット４１０に嵌め込む。この嵌め込みの際、型枠取り外し装置１００の上側の駆動側歯車１１０を多少動かすことによって、間隔保持用ボルト締め付けナット４１０と間隔保持用ボルト締め付けナット緩め部１２１との回転角度を一致させてしっかりと嵌め込むことができる。
【００４５】
次いで、型枠取り外し装置１００の上側の駆動側歯車１１０に備わった駆動工具嵌合部１１１にインパクトレンチ５０の回転駆動部を嵌合させ、インパクトレンチ５０を回転駆動させる。これによって、駆動側歯車１１０の回転力がチェーン１３０を伝わって従動側歯車１２０に伝わり、従動側歯車１２０も駆動側歯車１１０と同様に回転する。この従動側歯車１２０の回転トルクにより間隔保持用ボルト締め付けナット緩め部１２１と係合した間隔保持用ボルト締め付けナット４１０が緩みだし、間隔保持用ボルト４００の雄ネジ４１１の端部に備わる雄ネジ潰れ部４１２まで移動する（図４参照）。
【００４６】
なお、雄ネジ潰れ部４１２は、間隔保持用ボルト４００の雄ネジ４１１に間隔保持用ボルト締め付けナット４１０を螺合させた後、雄ネジ４１１の端部をプレス加工で潰すことで形成するのが一般的であるが、施工現場の環境によっては、雄ネジ４００が長過ぎる場合、雄ネジ４００を短くするために一部切断してからその雄ネジ端部をネジ山ごと潰して雄ネジ潰れ部４１２を形成する場合もある。
【００４７】
雄ネジ部１１１が緩んでいくことで間隔保持用ボルト締め付けナット４１０が雄ネジ潰れ部４１２に押し付けられる。そして、雄ネジ潰れ部４１２が間隔保持用ボルト締め付けナット４１０のそれ以上の緩み動作を阻止するストッパとしての役目を果たす。これによって、両者がその間に作用する摩擦力で一体化し、間隔保持用ボルト４００の雄ネジ４１１が間隔保持用ボルト締め付けナット４１０と共に回転し始める。これによって、間隔保持用ボルト４００のシャフト４２０のコンパネ側の端部であってピーコン３００の内部からコンパネ１３を貫通して突出した間隔保持用ボルト結合用六角ボルト３２０の雄ネジ３２２との螺合が緩み、やがてはこのシャフト４２０の端部がピーコン３００の間隔保持用ボルト結合用六角ボルト３２０から外れる。
【００４８】
これによって、間隔保持用ボルト４００とピーコン３００との結合が解除させるので、間隔保持用ボルト４００を擁壁１から遠ざけるように隣接壁側に引っ張って間隔保持用ボルト４００を単管パイプ１５及びタルキ１４から引き離す。
【００４９】
単管パイプ１５及びタルキ１４から離れた間隔保持用ボルト４００は、擁壁１と隣接壁２との間の狭い空間の底に向かって落下する。このようにして、この狭い空間内における型枠１０に多数取り付けられた間隔保持用ボルト４００を全て取り外す。
【００５０】
次いで、間隔保持用ボルト４００による締め付けと固定が解除された単管パイプ１５をこの空間の上側から引き抜くと共にタルキ１４についても全て上側から回収する。また、この空間内のコンパネ１３を擁壁１から剥がして上側から引き抜いて回収する。これによってこの空間内に擁壁１とこの擁壁１に嵌め込まれた多数のピーコン３００のみが残ると共に、この空間内の底面に取り外した後に落下した多数の間隔保持用ボルト４００が残った状態となる。
【００５１】
次いで、型枠取り外し装置１００を用いたピーコン３００の取り外し方法について説明する。擁壁１と隣接壁２の間の空間から引き出した型枠取り外し装置１００の従動側歯車１２０の六角穴１２１にピーコン除去アタッチメント２２０の端面視六角形の従動側歯車嵌合固定部２１０を嵌合させる。そして、従動側歯車嵌合固定部２１０に備わった鍔部２１３を従動側歯車１２０の一方の面に当接させた状態で従動側歯車１２０の六角穴１２１の反対側の端部に押さえ板２１５を当接させた後、その六角形の中心孔２１５ａにアタッチメント取り付け用六角ボルト２１６を従動側歯車嵌合固定部２１０に形成された雌ネジ２１４に螺合させてピーコン除去アタッチメント２２０を従動側歯車１２０にしっかりと固定する。これによって、従動側歯車１２０の一方の面からピーコン除去アタッチメント２２０のピーコン除去レンチ部２２１が従動側歯車１２０の中心軸線と同軸に突出するようになる。
【００５２】
このような状態で、再び間隔保持用ボルト取り外し作業と同じように型枠取り外し装置１００を擁壁１と隣接壁２との間の空間に入れてＬＥＤライト１４０で確認しながら擁壁１にはまったピーコン３００の位置を見つけ出す。そして、ピーコン除去アタッチメント２２０の先端のピーコン除去レンチ部２２１をピーコン３００の内側空間に設けられた間隔保持用ボルト結合用六角ボルト３２０の頭３２１に嵌合させる。
【００５３】
この際、型枠取り外し装置１００の上側の駆動側歯車１１０を多少動かすことによって、ピーコン除去アタッチメント２２０のピーコン除去レンチ部２２１とピーコン３００の間隔保持用ボルト結合用六角ボルト３２０の頭３２１との回転角度を一致させてしっかりと嵌め込むことができる。
【００５４】
そして、その状態で再び先程と同様にインパクトレンチ５０を型枠取り外し装置１００の駆動側歯車１１０に係合させて駆動側歯車１１０を回転させることにより、チェーン１３０を介して従動側歯車１２０も回転させ、ピーコン３００の間隔保持用ボルト結合用六角ボルト３２０の頭３２１も同じく回転させることにより、ピーコン３００の雌ネジ３２１とコンクリートに埋まった丸セパ１６の雄ネジ１６ａとの螺合が解除される。これにより、ピーコン３００が丸セパ１６から離れるので、ピーコン３００を擁壁１の側面から引き抜くことができる。
【００５５】
その後、ピーコン３００はピーコン除去アタッチメント２２０から離れて擁壁１と隣接壁２との間の空間の底部に落下する。このようにして擁壁１に多数嵌まったピーコン３００の擁壁１からの除去作業を全てこの型枠取り外し装置１００で手際良く行う。
【００５６】
以上のような作業を行なうことにより、擁壁１と隣接壁２との間の狭い空間内に介在していた単管パイプ１５とタルキ１４とコンパネ１３を全て取り外して回収すると共に、この空間の底部に間隔保持用ボルト４００とピーコン３００が多数落下したままの状態になる。
【００５７】
そして、最後に例えば長い棒の先に磁石をつけた間隔保持用ボルト４００とピーコン３００を回収する回収棒を用いて空間の底に落下したままの間隔保持用ボルト４００とピーコン３００を全て磁石の磁力でくっ付けて回収する。この際、この回収棒の磁石の近くに型枠取り外し装置１００と同様のＬＥＤライトを備え付けて空間の底の間隔保持用ボルト４００とピーコン３００の落下状況を確認できるようにしながら回収すると、回収作業がはかどる。
【００５８】
以上説明したことから明らかなように、本考案に係る擁壁の型枠取り外し装置よると、上述した本考案の解決すべき課題で挙げた様々な問題点を全て一気に解決することが可能となる。
【００５９】
以下、本考案の特に有利な点を再確認する。上述したように、擁壁と隣接壁の間の空間において本考案に係る擁壁の型枠取り外し装置を用いてそれぞれの間隔保持用ボルトを型枠から取り外してこの狭い空間から単管パイプやタルキ、コンパネを容易に回収することができる。また、擁壁からピーコンを取り除く作業を全て終えると隣接壁と擁壁の間の底に落下した多数の間隔保持用ボルトとピーコンがそのまま残る。
【００６０】
この残留したままの多数の間隔保持用ボルトやピーコンを回収する作業としては、間隔保持用ボルトやピーコンの一部が金属でできていることを利用して、長い棒の先に十分な磁力を有する磁石を備えて隣接壁と擁壁の間からこのピーコン回収用の棒を間隔保持用ボルトやピーコンが多数落ちたままなっている擁壁と隣接壁との間の狭い空間の底まで入れて、間隔保持用ボルトやピーコンを磁力でくっつけたまま引上げて全ての間隔保持用ボルトやピーコンを回収する。
【００６１】
このように本考案によると、例えば坂に沿って下から上に建てられている住宅の隣接する住宅間にコンクリートの擁壁を施工する場合において、単管パイプ、タルキ、コンパネのみならず専用品でコストのかかる多数の間隔保持用ボルトやピーコンを無駄にすることなく全て回収して次の場所の擁壁等の施工作業に再利用することができる。
【００６２】
なお、本実施形態のような施工場所以外においても擁壁の一方の面又は両面に対向する近接位置に何らかの建物や壁が存在し、上述の場合のように擁壁の型枠を簡単に取り外す作業エリアが非常に狭いあらゆる施工環境において本考案に係る型枠取り外し装置を有効活用できることは言うまでもない。
【００６３】
また、上述の実施形態は、あくまで本考案の一例を示すもので、本考案の範囲を逸脱しなければ上述のような寸法、材質、形状に本考案を限定する必要はなく、適宜設計変更を可能とすることは言うまでもない。
【符号の説明】
【００６４】
１    擁壁
２    隣接壁
１０    型枠
１３    コンパネ
１４    タルキ
１５    単管パイプ
５０    インパクトレンチ
１００    擁壁の型枠取り外し装置
１１０    駆動側歯車（第１の歯車）
１１１    六角穴，嵌合用貫通孔（駆動工具嵌合部）
１１５，１１５ａ，１１５ｂ    段部
１２０    従動側歯車（第２の歯車）
１２１    六角穴，嵌合用貫通孔（間隔保持用ボルト締め付けナット緩め部）
１２５，１２５ａ，１２５ｂ    段部
１３０    チェーン
１４０    ＬＥＤライト
１５０    筐体
１５１，    駆動側歯車取付け用大径開口部
１５１ａ，１５１ｂ    開口部
１５２    従動側歯車取付け用大径開口部
１５２ａ，１５２ｂ    開口部
２００    型枠取り外し用係合部
２１０    従動側歯車嵌合固定部
２１１    六角柱体
２１３    鍔部
２１４    雌ネジ
２１５    押さえ板
２１６    アタッチメント取付け用六角ボルト
２２０    ピーコン除去アタッチメント
２２１    ピーコン除去レンチ部
３００    ピーコン
３２０    間隔保持用ボルト結合用六角ボルト
３２１    頭
３２２    雄ネジ
４００    間隔保持用ボルト
４１０    間隔保持用ボルト締め付けナット
４１１    雄ネジ
４１２    雄ネジ潰れ部